(57)【要約】【課題】  広告情報と番組情報を視聴効果が大きくなるように効果的に組み合わせたコンテンツを表示する手段を提供する。【解決手段】  広告情報と番組情報を組み合わせて編集したコンテンツ、広告情報ID、番組情報ID、環境情報ID等のIDおよび視聴効果指数を蓄積しているノードのアドレスをサイネージ端末に配信するコンテンツ配信管理センタ200と、要求に合致した情報を蓄積しているノードのアドレスを選択して、アクセスすると同時にカメラ機能で、視聴者効果指数を取得してコンテンツ配信管理センタに送信する１以上のサイネージ端末301、302・・、コンテンツ配信管理センタ200とサイネージ端末を接続するIPネットワーク100からなる。【選択図】        図１
2010039726.tif 000002
【特許請求の範囲】
【請求項１】
コンテンツ配信管理センタと１以上のサイネージ端末とをインターネットなどのIPネットワークで接続し、該コンテンツ配信管理センタは、広告サーバからの広告情報と番組サーバからの番組情報を組み合わせて編集したコンテンツ、該広告情報ID、該番組情報ID、該コンテンツID、位置情報ID、環境情報IDおよび該コンテンツの表示時刻別視聴効果指数を蓄積しているノードのアドレスをサイネージ端末に配信し、該サイネージ端末は配信された各ID情報と視聴効果指数情報から、表示時刻毎の要求に合致した情報を蓄積しているノードのアドレスを選択して該ノードにアクセスすることで表示時刻別に該コンテンツを取得して取得したコンテンツを表示すると同時にカメラ機能を設け、視聴者効果指数を取得してコンテンツ配信管理センタに送信し、コンテンツ配信管理センタは該視聴効果指数を受信することを特徴とするオンデマンドサイネージシステム
【請求項２】
前記視聴効果指数として、前記コンテンツを前記１以上のサイネージ端末で表示した際、該１以上のサイネージ端末に設置したカメラで取得した視聴者数、視聴時間、視聴者属性、該広告情報に関連する商品の売り上げ情報を含む商品情報のうち１以上の情報を演算した結果得られる数値情報を用いることを特徴とする請求項１記載のオンデマンドサイネージシステム
【請求項３】
前記コンテンツ配信管理センタでサイネージ端末から視聴効果指数を受信した際、該視聴効果指数が事前に設定した規定値より小さければ、コンテンツの広告情報と番組情報の組み合わせを変更してサイネージ端末に配信することを特徴とする請求項１記載のオンデマンドサイネージシステム
【請求項４】
前記サイネージ端末が前記ノードにアクセスして取得したコンテンツを表示する際、サイネージ端末自身が有しているローカルコンテンツを付加して表示することを特徴とする請求項１記載のオンデマンドサイネージシステム
【発明の詳細な説明】
【技術分野】
【０００１】
本発明は、店舗等に設置して広告情報と番組情報を組み合わせて放映し、放映した効果を視聴効果指数により数値化し、最適な視聴効果指数が得られるように広告情報と番組情報の提供を行うシステムに関する。
【背景技術】
【０００２】
従来から店頭や街頭などに設置して不特定の通行人に対してふさわしい情報提供を行う方法が知られているが、多くの店舗等に設置したサイネージ端末にそれぞれの店舗で取得した情報を勘案して最適な情報を選択するもので、複数のサイネージ端末に一元的に最適な情報提供を行うための適当な手段がなかった。従来システムとして不特定の通行人の像情報から抽出した人の有する属性に係る特徴量に基づいて、通行人に提供すべき提供情報を決定する方法が記載されている（特許文献１）。
【０００３】
また、検出された時点の個々の顔に対応するのではなく、異なる期間（例えば、１日のうちの複数の時間帯）において収集された統計情報に基づいて、画像（例えば、広告コンテンツ）を表示する方法が記載されている（特許文献２）。
【０００４】
店頭モニタ広告又はＴＶ広告で紹介されている映像を視聴する人物の性別又は年齢層毎の視聴時間から視聴度を算出する方式が記載されている（特許文献３）。
【０００５】
リアルタイムで顧客の行動に基づいて選定した有効なプロモーション情報を提供できるようにするシステムが記載されている（特許文献４）。
【０００６】
宣伝を目的とするコンテンツ媒体の前面において流動する人物を撮像装置が撮像した画像を分析して取得された該人物の属性情報及び該コンテンツ媒体に対する注視状況である流動性情報と該コンテンツ媒体の識別情報とが関連付けて蓄積された蓄積情報を参照し、宣伝を行う際に使用する最適なコンテンツ媒体を選択して提示するマーケティング支援装置が記載されている（特許文献５）。
【特許文献１】特開２００３−２７１０８４
【特許文献２】特開２００５−２６７６１１
【特許文献３】特開２００６−２５４２７４
【特許文献４】特開２００６−１１３７１１
【特許文献５】特開２００７−２９３５４４
【発明の開示】
【発明が解決しようとする課題】
【０００７】
しかしながら特許文献１に記載の従来技術は、その場その場で提供すべき情報をスタンドアロンで選択しており、本願のように提供情報毎に視聴効果指数を付加して、表示端末側で視聴効果指数を参照してネットワークを介して選択する方法とは異なっている。
【０００８】
特許文献２に記載の従来技術は、本願のように複数の表示装置毎の視聴効果指数を用いて表示コンテンツの最適化を図るシステムとは異なっている。
【０００９】
特許文献３に記載の従来技術は、算出した結果をコンテンツにフィードバックしてコンテンツを再編集する本願とは異なっている。
【００１０】
特許文献４に記載の従来技術は、視聴者のモニタ映像の中に含まれている顧客の人物情報、滞在時間情報等を取得し、映像中の対象人物の行動軌跡の認識結果をもとに選定した特定人物に対して有効なプロモーションデータをリアルタイムに提供するシステムで、算出した結果をコンテンツにフィードバックしてコンテンツを再編集する本願とは異なっている。
【００１１】
特許文献５に記載の従来技術は、過去に実施した実例のなかから今回の実例に近いコンテンツ媒体を選択するもので、本願のように視聴効果指数を用いて効率的に広告と番組の組み合わせたコンテンツの組み合わせの最適化を図る方法とは異なっている。
【００１２】
本発明は、上記従来技術に鑑みてなされたもので、その課題は、広告情報と番組情報を視聴効果が大きくなるように効果的に組み合わせたコンテンツを表示する手段を提供することにある。
【課題を解決するための手段】
【００１３】
請求項１に記載の発明は、広告サーバからの広告情報と番組サーバからの番組情報を組み合わせて編集したコンテンツ、広告情報ID、番組情報ID、コンテンツID、位置情報ID、環境情報IDおよびコンテンツの表示時刻別視聴効果指数を蓄積しているノードのアドレスをサイネージ端末に配信するコンテンツ配信管理センタと、配信された各ID情報と視聴効果指数情報から、表示時刻毎の要求に合致した情報を蓄積しているノードのアドレスを選択してアクセスすることで表示時刻別にコンテンツを取得して取得したコンテンツを表示すると同時にカメラ機能を設け、視聴者効果指数を取得してコンテンツ配信管理センタに送信することにより、サイネージ端末側が主導で視聴効果指数の高い広告情報と番組情報の組み合わせたコンテンツを表示する１以上のサイネージ端末からなり、コンテンツ配信管理センタと１以上のサイネージ端末はIPネットワークで接続されることを特徴とする。
【００１４】
請求項２に記載の発明は、視聴効果指数として、コンテンツを1以上のサイネージ端末で表示した際、１以上のサイネージ端末に設置したカメラで取得した視聴者数、視聴時間、視聴者属性、広告情報に関連する商品の売り上げ情報を含む商品情報のうち1以上の情報を演算した結果得られる数値情報を用いることを特徴とする。
【００１５】
請求項３に記載の発明は、コンテンツ配信管理センタでサイネージ端末から視聴効果指数を受信した際、視聴効果指数が事前に設定した規定値より小さければ、コンテンツの広告情報と番組情報の組み合わせを変更してサイネージ端末に配信することを特徴とする。
【００１６】
請求項４に記載の発明は、サイネージ端末がノードにアクセスして取得したコンテンツを表示する際、サイネージ端末自身が有しているローカルコンテンツを付加して表示することを特徴とする。
【発明の効果】
【００１７】
請求項１に記載の発明は、コンテンツ配信管理センタと１以上のサイネージ端末とをIPネットワークで接続し、コンテンツ配信管理センタは、広告サーバからの広告情報と番組サーバからの番組情報を組み合わせて編集したコンテンツ、広告情報ID、番組情報ID、コンテンツID、位置情報ID、環境情報IDおよびコンテンツの表示時刻別視聴効果指数を蓄積しているノードのアドレスをサイネージ端末に配信し、サイネージ端末は配信された各ID情報と視聴効果指数情報から、表示時刻毎の要求に合致した情報を蓄積しているノードのアドレスを選択してアクセスすることで表示時刻別にコンテンツを取得して取得したコンテンツを表示すると同時にカメラ機能を設け、視聴者効果指数を取得してコンテンツ配信管理センタに送信することにより、サイネージ端末側が主導で視聴効果指数の高い広告情報と番組情報の組み合わせたコンテンツを表示することが出来る。コンテンツ配信管理センタと複数のサイネージ端末間をP2Pネットワークで構成してもよい。この場合、サイネージ端末にも配信機能を持たせることが出来、コンテンツ配信管理センタからのコンテンツ配信時の負荷を小さく出来、配信コストを低減できる。なお、広告情報と番組情報はそれぞれ１つでなく、１以上の広告情報と１つの番組情報を対として１つのコンテンツを作成しても良い。この場合、コンテンツIDが１に対して、1以上の広告IDと1の番組IDが対応する。また、位置情報IDはサイネージ端末に放映した位置の市街地、商業地、住宅地等の属性に関する情報とし、また、環境情報IDはサイネージ端末に放映した際の天候、温度、湿度情報とし、該位置情報IDと環境情報IDをサイネージ端末側で取得して視聴効果指数に付加してコンテンツ配信管理センタに配信してもよいし、サイネージ端末から配信された視聴効果指数にコンテンツ配信管理センタ側で付加してもよい。表示時刻は時間単位でもよいし朝、昼、夜、深夜の単位でも良い。
【００１８】
請求項２に記載の発明は、視聴効果指数として、コンテンツを1以上のサイネージ端末で表示した際、１以上のサイネージ端末に設置したカメラで取得した視聴者数、視聴時間、視聴者属性、広告情報に関連する商品の売り上げ情報を含む商品情報のうち1以上の情報を演算した結果得られる数値情報を用いることで、サイネージ端末が設置されている位置の属性に適した時刻別の視聴効果が得られるコンテンツを選択できる。
【００１９】
請求項３に記載の発明は、コンテンツ配信管理センタでサイネージ端末から視聴効果指数を受信した際、視聴効果指数が事前に設定した規定値より小さければ、コンテンツの広告情報と番組情報の組み合わせを変更してサイネージ端末に配信することで常に広告情報と番組情報が最適に組み合わされたコンテンツを表示できる。
【００２０】
請求項４に記載の発明は、サイネージ端末がノードにアクセスして取得したコンテンツを表示する際、サイネージ端末自身が有しているローカルコンテンツを付加して表示することによりサイネージ端末を設置している店舗に固有のコンテンツを付加して表示できるため店舗独自の広告効果を得ることが出来る。
【発明を実施するための最良の形態】
【００２１】
図１は、本発明の基本システム構成例を示す図である。図１において、コンテンツ配信管理センタ200、サイネージ端末301、302、303、401はIPネットワークに接続されており、後述する図７のコンテンツ編成手順にしたがってコンテンツ配信管理センタからサイネージ端末に広告情報と番組サーバからの番組情報を組み合わせて編集したコンテンツ、広告情報ID、番組情報ID、コンテンツID、位置情報ID、環境情報IDおよびコンテンツの表示時刻別視聴効果指数を蓄積しているノードのアドレスの配信を行い、サイネージ端末は、後述する図８のコンテンツ選択手順に従って配信されたアドレス情報に基づいてアドレスのノードに格納されているコンテンツを選択して取得する。またサイネージ端末からコンテンツ配信管理センタに視聴効果指数を送信する。同図ではサイネージ端末301、302、303は店舗300の敷地内に、サイネージ端末401は店舗400の敷地内に設置する構成例を示している。
【００２２】
図２は、コンテンツ配信管理センタの構成例を示す。コンテンツ配信管理センタを構成する入出力サーバ210、コンテンツ編集サーバ250、視聴効果指数編成サーバ260、視聴効果指数穂配信サーバ270、広告情報DB231、番組情報DB232、コンテンツ情報DB233、視聴効果指数DB234、環境DB235、位置DB236はネットワーク220を介して接続される。コンテンツ配信管理センタ200は、また、広告サーバ400、番組サーバ500、IPネットワーク経由でのサイネージ端末301・・・と接続されており、広告サーバから広告情報を、番組サーバから番組情報を、入出力サーバ210で随時受信して、受信した広告情報と番組情報をそれぞれのIDを付加して広告情報DB231、番組情報DB232に格納する。コンテンツ編集サーバ250は格納された１以上の広告情報DB231、番組情報DB232を用いて1以上の広告情報と番組情報が対となるように編集して編集後のコンテンツにコンテンツID、１以上の広告情報ID、番組情報IDを付加してコンテンツ情報DB233に蓄積する。
【００２３】
入出力サーバ210によりIPネットワーク100経由で受信したサイネージ端末301・・・からの視聴効果指数情報は、視聴効果指数編集サーバ260に、放映したコンテンツのコンテンツID、広告情報ID、番組情報IDおよび環境DB235よりの天候、温度、湿度等の情報、位置DBからの商業地、市街地、住宅地等の位置情報属性情報を付加して視聴効果指数DB234に蓄積する。視聴効果指数報知サーバ270は、入出力サーバ210、IPネットワーク100経由でコンテンツ、広告情報ID、番組情報ID、コンテンツIDおよびコンテンツの視聴効果指数を蓄積しているノードのアドレス271を配信する。
【００２４】
図３はサイネージ端末301の構成例を示す。表示部330、入出力機能320、視聴状況収集機能341、視聴効果指数演算機能342、コンテンツ選択機能343、POS端末インタフェース機能344、息情報記憶部345、ローカルコンテンツ蓄積部346は制御部に接続されて制御される。サイネージ端末301は、コンテンツ配信管理センタ200から配信された広告情報と番組サーバからの番組情報を組み合わせて編集したコンテンツ、広告情報ID、番組情報ID、コンテンツID、位置情報ID、環境情報IDおよびコンテンツの表示時刻別視聴効果指数を蓄積しているノードのアドレスから、コンテンツ選択機能343によりサイネージ端末301の設置されている環境に適したコンテンツを有するアドレスを選択して、選択したアドレスにアクセスしてコンテンツを取得して取得したコンテンツを表示部330に表示する。
【００２５】
サイネージ端末301は同時に視聴状況収集機能341を用いて表示したコンテンツを視聴している視聴者数、視聴時間、視聴者属性を収集し、収集した結果の情報とPOS端末インタフェース344を介して表示した広告情報に関連する商品の売り上げ情報を取得し、取得した情報を視聴効果指数演算機能342を用いて視聴効果指数として編集し、入出力機能320を介してコンテンツ配信管理センタ200に送信する。視聴者数、視聴時間、視聴者属性等の視聴者情報の取得は例えば、オムロン社の顔センシング技術 OKAO Visionを用いても良い。
【００２６】
図４に視聴効果指数演算機能の構成例、図５に視聴効果指数例を示す。視聴効果指数は例えば視聴者人数、視聴者属性、視聴時間から属性毎の延べ視聴時間P(人・時間)を算出し、関連する商品の売上高Qから、図5に示す２次元座標（Pa,Qa）、 (Pb,Qb)で表し視聴効果指数として例えば
Ra=（Pa2+Qa2）1/2、Rb=（Pb2+Qb2）1/2     
として表す。サイネージ端末が視聴効果指数の大きいコンテンツを選択する際、視聴者の属性に関しての情報を用いてマッチングを行ってもよい。
【００２７】
図６に広告・番組情報収集動作手順例を示す。コンテンツ配信管理センタは、S110、S120で広告サーバから送信された広告コンテンツ(1),(2)をそれぞれS111、S121で受信し識別符号IDa1、IDa2を付与して広告情報DBに蓄積する。コンテンツ配信管理センタは、S210、S220で番組サーバから送信された番組コンテンツ(1)(2)をそれぞれS211、S221で受信しそれぞれ識別符号IDb1、IDb2を付与して番組情報DBに蓄積する。
【００２８】
図７にコンテンツ編成手順例を示す。サイネージ端末は。S201で広告ID(Ida1)、番組ID(IDb1)、位置情報ID(IDc5)を付加した視聴効果指数をコンテンツ配信管理センタに送信し、コンテンツ配信管理センタはS202で視聴効果指数を受信し、S203で受信した視聴効果指数Sを規定値と比較し、規定値以下なら広告情報と番組情報の対を変更して新たに広告情報と番組情報の対を編成して、編成した広告情報ID(Ida1)と番組情報ID(IDb3)、コンテンツIDにS202にS208で環境情報ID（IDd2）、時刻情報（IDe23）を付加してS206でサイネージ端末に配信する。配信された新たに広告情報と番組情報の対の各IDをS207で受信する。
【００２９】
図８にコンテンツ選択手順例を示す。コンテンツ配信管理センタはS301で、広告ID（IDa1）、番組ID（IDb3）、位置ID（IDc5）、環境ID（IDd2）、時刻ID（IDe2）視聴効果指数情報（R）をサイネージ端末に配信。サイネージ端末はS302で配信された各IDと視聴効果指数を受信し、S303で広告ID、番組ID、位置ID、環境ID、時刻IDでスクリーニングした後の視聴効果指数Sが最大のコンテンツを含むアドレスを選択し、S304で選択したアドレスにアクセスし、S305でコンテンツを取得し、S309で表示する。なお、S306でサイネージ端末が有しているローカルコンテンツの有無を図３の3020のローカルコンテンツ蓄積部にアクセスして検出しローカルコンテンツが蓄積されていればS309で蓄積されているローカルコンテンツを付加して表示する。同時にS307で視聴者情報をS308で商品情報を取得する。
【００３０】
視聴効果指数情報例を図９に示す。視聴効果指数は、ジャンル別に表示時刻毎の広告ID、番組ID、視聴効果指数R、コンテンツを格納しているアドレスから構成される。ジャンルは、位置情報ジャンル（商業地区、住宅地区等）、環境情報ジャンル（晴れで蒸し暑い、雨で寒い等）、時刻ジャンル（朝、昼、、夜、深夜）から構成される。サイネージ端末はコンテンツ配信管理センタから配信された図９のジャンル情報を参照してスクリーニングしたのち最大の視聴効果指数Rのコンテンツを含むアドレスを選択する。
【００３１】
本発明は、上述した実施形態に限定されるものではなく、本発明の要旨を逸脱しない範囲内で様々な変形や応用が可能である。
【産業上の利用可能性】
【００３２】
本発明は、コンテンツ情報と広告情報を視聴効果が最大になるように組み合わせて表示端末に表示させることが可能となる。
【図面の簡単な説明】
【００３３】
【図１】本発明の基本システム構成を示す図である。
【図２】本発明のコンテンツ配信管理センタ構成例を示す図である。
【図３】本発明におけるサイネージ端末構成例を示す図である。
【図４】本発明における視聴効果指数演算機能を示す図である。
【図５】本発明の視聴効果指数の２次元表示を示す図である。
【図６】本発明における広告・番組情報動作手順を示す図である。
【図７】本発明におけるコンテンツ編成手順を示す図である。
【図８】本発明におけるコンテンツ選択手順を示す図である。
【図９】本発明における視聴効果指数を格納するデータベースを示す図である。
【符号の説明】
【００３４】
１００  IPネットワーク
２００  コンテンツ配信管理センタ
２１０  入出力サーバ
２２０  ネットワーク
２３１  広告情報DB
２３２  番組情報DB
２３３  コンテンツ情報DB
２３４  視聴効果指数DB
２３５  環境DB
２３６  位置ＤＢ
２５０  コンテンツ編集サーバ
２６０  視聴効果指数編成サーバ
２７０  視聴効果指数配信サーバ
３００  店舗
３０１  サイネージ端末
３０２  サイネージ端末
３０３  サイネージ端末
３０４  サイネージ端末
４００  店舗
４０１  サイネージ端末
【図１】
2010039726.tif 000003
【図２】
2010039726.tif 000004
【図３】
2010039726.tif 000005
【図４】
2010039726.tif 000006
【図５】
2010039726.tif 000007
【図６】
2010039726.tif 000008
【図７】
2010039726.tif 000009
【図８】
2010039726.tif 000010
【図９】
2010039726.tif 000011